(57)【要約】【課題】  フィルムスキャナで写真フィルムから取得したデータのうち、できるだけコマ画像の全ての領域のプリントが可能な写真プリント装置を構成する。【解決手段】  フィルムスキャナ２で取得したスキャニングデータをディスプレイ３に表示し、幅中央抽出手段５５Ｃがコマ画像データ領域の幅中央位置を抽出し、主境界位置設定手段５５Ｅが幅中央位置を基準にして幅方向での両端側で等しい距離となる位置を境界位置に設定し、主境界位置設定手段５５Ｅで設定した一対の境界位置より内側のコマ画像データ領域のスキャニングデータを、プリントデータ生成手段５６がプリントデータに設定する。【選択図】        図７
2006148211.tif 000002
【特許請求の範囲】
【請求項１】
現像済みの写真フィルムのコマ画像をデジタル信号化して取得するフィルムスキャナと、このフィルムスキャナで取得したコマ画像データをプリントデータに変換してプリント部に出力する画像処理部とを備えている写真プリント装置であって、
前記フィルムスキャナは、前記写真フィルムの幅方向においてコマ画像領域を超える領域のスキャニングデータを取得するように構成され、
前記画像処理部は、前記フィルムスキャナで取得した前記スキャニングデータをディスプレイに表示する表示処理手段と、前記コマ画像領域に対応したコマ画像データ領域における前記写真フィルムの幅方向での幅中央位置を抽出する幅中央抽出手段と、
この幅中央位置を基準にして前記写真フィルムの幅方向での両端側で等しい距離となる位置を前記ディスプレイに表示する形態で、その位置を境界位置に設定する主境界位置設定手段と、
この主境界位置設定手段で設定した一対の境界位置より内側のコマ画像データ領域のスキャニングデータを前記プリントデータに設定するプリントデータ生成手段とを備えている写真プリント装置。
【請求項２】
前記幅中央抽出手段は、前記スキャニングデータのうち前記写真フィルムの長手方向で所定ピッチ毎に前記写真フィルムの幅方向での濃度値を取得し、予め設定された濃度差を判定した位置を前記コマ画像データ領域における前記写真フィルムの幅方向での領域端に設定する処理を行い、
前記主境界位置設定手段は、前記ディスプレイに表示された前記コマ画像データ領域の写真フィルムの幅方向での一方の境界位置が人為的に指定されることにより、この境界位置データを保存し、かつ、前記境界位置と前記幅中央位置との間の距離に等しい距離で前記幅中央位置を挟んで対向する側の他方の境界位置データを保存する処理を行うよう設定されている請求項１記載の写真プリント装置。
【請求項３】
前記画像処理部は、前記フィルムスキャナにおいて前記スキャニングデータを粗く取得するプレスキャン処理を実行し、このプレスキャン処理によって取得したスキャニングデータを前記表示処理手段が前記ディスプレイに表示する表示処理を実行した状態において前記主境界位置設定手段で設定された境界位置を取得する処理を実行し、
この取得の後、前記画像処理部が、前記フィルムスキャナにおいて前記スキャニングデータを密に取得する本スキャン処理によってコマ画像データを取得した後には、そのコマ画像データから前記境界位置に基づいて前記プリントデータを生成するよう処理形態が設定されている請求項１又は２記載の写真プリント装置。
【請求項４】
前記フィルムスキャナは、前記写真フィルムの長手方向においてコマ画像データ領域を超える領域のデータを取得するように構成され、
前記画像処理部は、前記スキャニングデータに含まれるコマ画像データ領域における前記写真フィルムの長手方向での長手中央位置を抽出する長手中央抽出手段と、
この長手中央位置を基準にして前記写真フィルムの長手方向での両端側で等しい距離となる位置を前記ディスプレイに表示する形態で、その位置を境界位置に設定する副境界位置設定手段とを備え、
前記プリントデータ生成手段は、前記副境界位置設定手段で設定した一対の境界位置より内側のコマ画像データ領域のスキャニングデータを前記プリントデータに設定するよう処理形態を設定している請求項１記載の写真プリント装置。
【請求項５】
前記画像処理部は、前記フィルムスキャナにおいて前記スキャニングデータを粗く取得するプレスキャン処理を実行し、このプレスキャン処理によって取得したスキャニングデータを前記表示処理手段が前記ディスプレイに表示する表示処理を実行した状態において前記副境界位置設定手段で設定された境界位置を取得する処理を実行し、
この取得の後、前記画像処理部が、前記フィルムスキャナにおいて前記スキャニングデータを密に取得する本スキャン処理によってコマ画像データを取得した後には、そのコマ画像データから前記境界位置に基づいて前記プリントデータを生成するよう処理形態が設定されている請求項４記載の写真プリント装置。
【請求項６】
前記プリントデータ生成手段は、前記写真フィルムに形成されたコマ画像領域と等しいサイズのプリントを行うプリントデータを生成し、このように生成された複数のプリントデータを１枚のプリント媒体にプリントするプリント制御データを生成するように構成されている請求項１〜５のいずれか１項に記載の写真プリント装置。
【発明の詳細な説明】
【技術分野】
【０００１】
本発明は、現像済みの写真フィルムのコマ画像をデジタル信号化して取得するフィルムスキャナと、このフィルムスキャナで取得したコマ画像データをプリントデータに変換してプリント部に出力する画像処理部とを備えている写真プリント装置に関し、詳しくは、フィルムスキャナで取得したコマ画像データの任意の領域をプリント媒体にプリントする技術に関する。
【背景技術】
【０００２】
上記のように構成された写真プリント装置と関連する技術として、光源からの光を調光ユニット、色分解ユニットを介してフィルムのコマ（本発明のコマ画像）に照射し、このコマ画像を結像光学系でＣＣＤに導く画像取得系を備え、この画像取得系からの画像をプリンタでプリントするデジタル写真プリンタが存在する。このデジタル写真プリンタは、フレームメモリに記憶されたデジタル画像情報から、試し焼き処理手段が全体画像と、この全体画像に含まれる主要部とを取得し、この全体画像と、この全体画像より拡大した主要部とを配列決定手段で決定された配置で試し焼きの印画紙にプリントできるよう構成されている。また、主要部は抽出手段によって全体画像から自動的に抽出する点と、ディスプレイの表示に基づいてオペレータがキーボードを介して指定する点とが記載されている（例えば、特許文献１参照）。
【０００３】
また、上記のように構成された写真プリント装置と関連する技術として、フィルムスキャナで取得した画像データ（本発明のコマ画像データ）に含まれる実画像データと周辺画像データとを、ビデオ処理部がディスプレイに表示し、オペレータが実画像領域の位置の適否を判断し、必要な場合ディスプレイに表示された枠を移動させる操作を行うことにより、実画像の再設定が可能となり、この設定の後には、実画像の領域をデジタルプリンターにおいて印画紙にプリントする処理を行える点が記載されている（例えば、特許文献２参照）。
【０００４】
【特許文献１】特開平９‐２００５１１号公報  （段落番号〔００３３〕〜〔００３７〕、〔００６１〕〜〔００７９〕図１、図３）
【特許文献２】特開２０００‐３０５１８５号公報  （段落番号〔００２２〕、〔００２３〕、図１、図２、図５）
【発明の開示】
【発明が解決しようとする課題】
【０００５】
例えば、１２０サイズや２２０サイズの現像処理済みの写真フィルム（ブローニーフィルム）をフィルムスキャナにセットして撮影されているコマ画像からコマ画像データを取得する処理を考えると、同じ機種のカメラで撮影されたものであっても、フィルム幅に対するコマ画像の幅方向での位置が一定しないことが多く、適正にコマ画像データを取得できないこともある。その理由として、１２０サイズや２２０サイズの写真フィルムは、１３５サイズの写真フィルムのようにパーフォレーションが形成されていないため、カメラ内において写真フィルムの位置がフィルムの幅方向に僅かに変位できることが想像される。
【０００６】
このようにコマ画像の位置が写真フィルムの幅方向に変動する場合には、フィルムスキャナで取得したコマ画像データをプリントする場合に、プリントされた画像の中央位置が変動し、プリントされた画像が撮影者の意図とするものと異なることがあった。また、１２０サイズや２２０サイズの写真フィルムを用いて撮影された画像はコマの端部までケラレのないプリントを望む撮影者が多いのも現実である。
【０００７】
しかしながら、従来からの写真プリント装置では、フィルムスキャナで取得したコマ画像データの決まった位置に対してマスクを掛ける形態でコマ画像データを抽出しているため、写真フィルムの幅方向での画像（コマ）の中央とプリントされた画像の中央位置とが異なる不都合に繋がることがあった。
【０００８】
また、１２０サイズや２２０サイズの写真フィルムのコマ画像が写真フィルムの幅方向に変位する現象が発生しても、写真フィルムの幅方向でのコマ画像の端部より外部（画像が存在しない領域）をプリントに含めないようにマスクのサイズをコマ画像のサイズより少し小さく設定することも多く行われており、このような状況ではケラレのないプリントを必要とする撮影者の要望にこたえられないものであった。
【０００９】
この不都合を解消するために、フィルムスキャナで写真フィルムから取得したコマ画像データをディスプレイに表示し、人為的な操作でコマ画像データの領域を人為的に指定することも考えられるが、手間が掛かり過ぎる点において改善の余地がある。
【００１０】
本発明の目的は、フィルムスキャナで写真フィルムから取得したデータのうち、できるだけコマ画像の全ての領域のプリントが可能な写真プリント装置を合理的に構成する点にある。
【課題を解決するための手段】
【００１１】
本発明の特徴は、現像済みの写真フィルムのコマ画像をデジタル信号化して取得するフィルムスキャナと、このフィルムスキャナで取得したコマ画像データをプリントデータに変換してプリント部に出力する画像処理部とを備えている写真プリント装置であって、
前記フィルムスキャナは、前記写真フィルムの幅方向においてコマ画像領域を超える領域のスキャニングデータを取得するように構成され、
前記画像処理部は、前記フィルムスキャナで取得した前記スキャニングデータをディスプレイに表示する表示処理手段と、前記コマ画像領域に対応したコマ画像データ領域における前記写真フィルムの幅方向での幅中央位置を抽出する幅中央抽出手段と、
この幅中央位置を基準にして前記写真フィルムの幅方向での両端側で等しい距離となる位置を前記ディスプレイに表示する形態で、その位置を境界位置に設定する主境界位置設定手段と、
この主境界位置設定手段で設定した一対の境界位置より内側のコマ画像データ領域のスキャニングデータを前記プリントデータに設定するプリントデータ生成手段とを備えている点にある。
【００１２】
この構成により、フィルムスキャナで取得したスキャニングデータに含まれるコマ画像データ領域を、表示処理手段がディスプレイに表示し、幅中央抽出手段が写真フィルムの幅方向での中央位置を抽出する。次に、主境界位置設定手段が、幅中央位置を基準にして写真フィルムの幅方向での両端側で等しい距離となる位置をディスプレイに表示しながら、その位置を境界位置に設定できる。この後、プリントデータ生成手段が一対の境界位置で挟まれた領域をプリントデータに設定してプリントを行える。つまり、本発明によると、コマ画像データ領域の幅方向での中央位置から等しい位置を境界としてプリント領域を設定するので、撮影者が意図とした構図のプリントを実現するばかりでなく、例えば、画像が存在しない領域をプリントする不都合を容易に回避できる。その結果、フィルムスキャナで写真フィルムから取得したスキャニングデータに含まれるコマ画像データ領域の全てをバランス良くプリントできる写真プリント装置が合理的に構成された。
【００１３】
本発明は、前記幅中央抽出手段は、前記スキャニングデータのうち前記写真フィルムの長手方向で所定ピッチ毎に前記写真フィルムの幅方向での濃度値を取得し、予め設定された濃度差を判定した位置を前記コマ画像データ領域における前記写真フィルムの幅方向での領域端に設定する処理を行い、
前記主境界位置設定手段は、前記ディスプレイに表示された前記コマ画像データ領域の写真フィルムの幅方向での一方の境界位置が人為的に指定されることにより、この境界位置データを保存し、かつ、前記境界位置と前記幅中央位置との間の距離に等しい距離で前記幅中央位置を挟んで対向する側の他方の境界位置データを保存する処理を行うよう設定しても良い。
【００１４】
この構成により、スキャニングデータに含まれるコマ画像データ領域の幅方向での領域端を比較的簡単な画像処理で設定するので、幅中央抽出手段は、設定された領域端に基づいて幅中央位置を設定できる。また、主境界位置設定手段は、ディスプレイに表示されたコマ画像データ領域を確認しながら一方の境界位置を設定することを許し、このように一方の境界位置が設定されることにより、幅中央位置から等しい距離となる他方の境界を自動的に設定することになり、夫々の境界位置を指定するものと比較して手間を軽減できる。
【００１５】
本発明は、前記画像処理部は、前記フィルムスキャナにおいて前記スキャニングデータを粗く取得するプレスキャン処理を実行し、このプレスキャン処理によって取得したスキャニングデータを前記表示処理手段が前記ディスプレイに表示する表示処理を実行した状態において前記主境界位置設定手段で設定された境界位置を取得する処理を実行し、
この取得の後、前記画像処理部が、前記フィルムスキャナにおいて前記スキャニングデータを密に取得する本スキャン処理によってコマ画像データを取得した後には、そのコマ画像データから前記境界位置に基づいて前記プリントデータを生成するよう処理形態を設定しても良い。
【００１６】
この構成により、プレスキャン処理によって取得したスキャニングデータをディスプレイに表示した状態において主境界位置設定手段が設定した境界位置を、本スキャン処理によって取得したスキャニングデータに反映させてプリントすることが可能となる。
【００１７】
本発明は、前記フィルムスキャナは、前記写真フィルムの長手方向においてコマ画像データ領域を超える領域のデータを取得するように構成され、
前記画像処理部は、前記スキャニングデータに含まれるコマ画像データ領域における前記写真フィルムの長手方向での長手中央位置を抽出する長手中央抽出手段と、
この長手中央位置を基準にして前記写真フィルムの長手方向での両端側で等しい距離となる位置を前記ディスプレイに表示する形態で、その位置を境界位置に設定する副境界位置設定手段とを備え、
前記プリントデータ生成手段は、前記副境界位置設定手段で設定した一対の境界位置より内側のコマ画像データ領域のスキャニングデータを前記プリントデータに設定するよう処理形態を設定しても良い。
【００１８】
この構成により、フィルムスキャナで取得したスキャニングデータに含まれるコマ画像データ領域を、表示処理手段がディスプレイに表示し、長手中央抽出手段が写真フィルムの長手方向での中央位置を抽出する。次に、副境界位置設定手段が、長手中央位置を基準にして写真フィルムの長手方向での両端側で等しい距離となる位置をディスプレイに表示しながら、その位置を境界位置に設定できる。この後、プリントデータ生成手段が一対の境界位置で挟まれた領域をプリントデータに設定してプリントを行える。つまり、本発明によると、コマ画像領域の長手方向での中央位置から等しい位置を境界としてプリント領域を設定するので、撮影者が意図とした構図のプリントを実現するばかりでなく、例えば、画像が存在しない領域をプリントする不都合を容易に回避できる。
【００１９】
本発明は、前記画像処理部として、前記フィルムスキャナにおいて前記スキャニングデータを粗く取得するプレスキャン処理を実行し、このプレスキャン処理によって取得したスキャニングデータを前記表示処理手段が前記ディスプレイに表示する表示処理を実行した状態において前記副境界位置設定手段で設定された境界位置を取得する処理を実行し、
この取得の後、前記画像処理部が、前記フィルムスキャナにおいて前記スキャニングデータを密に取得する本スキャン処理によってコマ画像データを取得した後には、そのコマ画像データから前記境界位置に基づいて前記プリントデータを生成するよう処理形態を設定しても良い。
【００２０】
この構成により、プレスキャン処理によって取得したスキャニングデータをディスプレイに表示した状態において主境界位置設定手段が設定した境界位置を、本スキャン処理によって取得したスキャニングデータに反映させてプリントすることが可能となる。
【００２１】
本発明は、前記プリントデータ生成手段として、前記写真フィルムに形成されたコマ画像領域と等しいサイズのプリントを行うプリントデータを生成し、このように生成された複数のプリントデータを１枚のプリント媒体にプリントするプリント制御データを生成するように構成しても良い。
【００２２】
この構成により、１枚の印画紙等のプリント媒体に対して、コマ画像領域と等しいサイズのコマ画像データをプリントすることが可能となり、例えば、ネガフィルムとプリントとを対比させて撮影条件の判断を行うことも行える。
【発明を実施するための最良の形態】
【００２３】
以下、本発明の実施形態を図面に基づいて説明する。
〔全体構成〕図１に示すように、現像済みの写真フィルムＦ（以下、フィルムＦと略称する）のコマ画像のデジタル信号化によりコマ画像データを生成する処理を行い、システム全体の基本的な制御を行うオペレートユニットＡを備えると共に、プリント媒体としての銀塩印画紙（以下、ペーパーＰと称する）に対して露光処理と現像処理とを行い、かつ、乾燥処理を行った後に送り出すプリントユニットＢ（プリント部の一例）とを備えることによりデジタルミニラボと称せられる写真プリント装置が構成されている。
【００２４】
〔オペレートユニット〕前記オペレートユニットＡは、デスク状のコンソール部１に対してフィルムＦの画像データを光電変換によりデジタル信号化して取り込むフィルムスキャナ２と、各種情報を表示するディスプレイ３と、画像処理と各種処理とを実現する汎用コンピュータで成る処理装置４（画像処理部の一例）とを配置している。前記コンソール部１の上面には情報を入力するキーボード５と、ポインティングデバイスとしてのマウス６とを備えている。前記処理装置４は、ＣＤやＤＶＤ等のディスク型の記憶媒体７からの情報を取得する、あるいは、記憶媒体７に情報を書き込むメディアドライブ８を備え、内部に情報を保存する半導体メモリやハードディスク等（図示せず）を備えている。
【００２５】
前記フィルムスキャナ２は、下部に発光ダイオードやハロゲンランプ等を有した光源部１０を配置し、中間部にズームレンズ１１を配置し、上部にズームレンズ１１からの光線をＲ（赤）、Ｇ（緑）、Ｂ（青）三原色に色分解して取り込むラインＣＣＤ型の光電変換部１２を配置している。このフィルムスキャナ２では、フィルムＦのスキャニングを行う際に、そのフィルムＦのサイズに適合したフィルムキャリア１３を光源部１０の上面に装着してスキャニングを行うことにより、フィルムＦを副走査方向（長手方向）に搬送する作動と同期して光電変換部１２においてフィルムＦのコマ画像を含むデータを主走査方向に沿ってデジタル信号化して取り込む処理が連続的に行われ、このように取り込まれたスキャニングデータを前記処理装置４に転送し、前記半導体メモリやハードディスクに保存する処理が実行される。
【００２６】
このフィルムスキャナ２は、図４に示すように幅Ｗ（主走査方向での寸法）、長さＬ（副走査方向での寸法）で複数のコマ画像１００が形成されているフィルムＦのスキャニングを行う場合には、コマ画像領域１００Ａの幅より充分に広い幅（このフィルムスキャナ２では前記フィルムＦの幅Ｗとスキャニングの幅とを一致させている）でフィルムＦの長手方向に沿って連続的に光電変換を行う。このスキャニングによって取得した前記スキャニングデータＳＤは、同図に示す如く２次元に展開した状態において前記フィルムＦの幅Ｗと、長さＬとに対応したサイズで、コマ画像１００に対応したコマ画像データ１００Ｄが、コマ画像データ領域１００ＤＡに形成される。また、このスキャニングデータＳＤは、Ｒ（赤）、Ｇ（緑）、Ｂ（青）の３原色に対応したデータ（３種のデータ）を１組として取り扱うものであり、３種のデータとも８ビットや１２ビットの階調となるビットマップ形式のデータ構造を有している。尚、このフィルムスキャナ２でスキャニングを行う際の幅は、フィルムＦに形成された（撮影された）コマ画像領域１００Ａが幅方向に変位することがあっても確実にスキャニングできる幅であれば良く、フィルムＦの幅Ｗと一致させる必要はない。また、ピースフィルムのスキャニングを行う場合には、前記長さＬはピース長さに一致する。
【００２７】
前記処理装置４は、ディスプレイ３に表示された情報に従って各種の処理を前記キーボード５やマウス６の操作により実現するインタフェースを具備し、更に、前述のようにフィルムスキャナ２によって取り込んだスキャニングデータＳＤから取得したコマ画像データ１００Ｄ、あるいは、前記メディアドライブ８を介して取り込まれた記憶媒体７からのコマ画像データ１００Ｄをディスプレイ３に表示した状態で、必要な場合には色補正や濃度補正等の画像処理を行い、プリントサイズやプリント枚数等のオーダデータを生成して、コマ画像データ１００Ｄとともに前記プリントユニットＢに転送してプリント処理を実現する。
【００２８】
〔プリントユニット〕前記プリントユニットＢは、図１及び図２に示すように、露光ブロックＥｘと、現像ブロックＤｅと、乾燥ブロックＤｒとを筐体２０に収納して成ると共に、筐体２０に外部には、処理の後に筐体２０の上部から送り出されるペーパーＰを水平方向に送る搬送ベルト２１を備え、この搬送ベルト２１から送られるペーパーＰをオーダ単位で仕分けて集積するよう複数のトレー２２を有したソータ２３を備え、更に、搬送ベルト２１の下方位置には大きいサイズのペーパーＰを受け止めるラック２４を備えている。
【００２９】
前記露光ブロックＥｘは、下部に２つのマガジンＭ、Ｍを配置すると共に、上部位置に露光エンジン２５を配置している。そして、この露光ブロックＥｘでは、マガジンＭ、Ｍの一方に収納したロール状のペーパーＰを圧着型のアドバンスローラ２６によって引き出し、カッター２７でプリントサイズに切断し、切断されたペーパーＰの裏面側に印字ヘッド２８によって必要な情報をプリントし、この後、ペーパーＰを挟持搬送するチャックユニット２９によって露光経路に送り込む。
【００３０】
前記露光経路では、前記チャックユニット２９からのペーパーＰを受取ローラ３０で受け取り、一対の駆動ローラ３１と、これに対応する一対の従動ローラ３２とで圧着して上方（副走査方向）に搬送しながら前記露光エンジン２５から主走査方向に照射されるレーザビームで露光を行うように構成されている。そして、この露光を終えたペーパーＰは、複数の圧着ローラ３３を備えた前搬送経路において搬送方向を水平方向に変換された後に、２つのチャッカー３４を備えた振り分け経路において２列の振り分け経路に振り分けられ、更に、複数の圧着ローラ３５を備えた後搬送経路から前記現像ブロックＤｅの圧着型の導入ローラ３６に受け渡されるように構成されている。
【００３１】
前記露光エンジン２５は、Ｒ（赤）、Ｇ（緑）、Ｂ（青）の３原色のレーザ光源からの光線を音響光学式の変調手段によって光量を調節した後、縦軸芯で回転するポリゴンミラーのミラー面で反射させることにより主走査方向に走査する形態で露光位置のペーパーＰに対して送り出すレーザ走査型のものを使用しているが、ＰＬＺＴ方式蛍光ビーム方式、液晶シャッター方式、ＤＭＤ方式又はＦＯＣＲＴ等の使用が可能である。
【００３２】
前記現像ブロックＤｅは、発色現像槽と漂白定着槽と安定槽とで成る複数の処理槽を一体形成した現像処理槽３７を備えると共に、夫々の現像処理槽にペーパーＰを供給する搬送機構３８を備えている。前記乾燥ブロックＤｒは、現像ブロックＤｅから送り出されるペーパーＰに対してヒータで加熱された乾燥空気を供給するブロワ３９を備えている。
【００３３】
このように説明した写真プリント装置は従来からのものと基本的に変わるものではなく、本発明では、フィルムスキャナ２で取得したスキャニングデータＳＤに含まれるコマ画像データ領域１００ＤＡの幅方向での中央位置と長手方向での中央位置とに基づきコマ画像領域１００Ａにおけるコマ画像データ１００Ｄを適正に抽出してプリントできるように構成した点に特徴を有するものである。
【００３４】
〔制御系の構成〕図７に示すように、前記処理装置４は、マイクロプロセッサ（ＣＰＵ）に信号のアクセスを行う入出力インタフェース４１（Ｉ／Ｏ）を備え、この入出力インタフェース４１に対して前記フィルムスキャナ２、ディスプレイ３、キーボード５、マウス６夫々との間で信号がアクセスする系と、前記メディアドライブ８、ハードディスク４２、及び、プリントユニットＢに対して信号がアクセスする系とを形成している。
【００３５】
また、マイクロプロセッサ（ＣＰＵ）のデータバスに半導体メモリ５１（ＲＡＭ／ＲＯＭ）、オペレーティングシステム５２、スキャニング制御手段５３、プレジャッジ制御手段５４、プリント領域設定部５５、プリントデータ生成手段５６、プリント実行手段５７を接続している。ちなみに、この処理装置４において制御を実現するためにはデータバスの他にコントロールバスやアドレスバス等を必要とするものであるが、複雑化を避けるために図面にはコントロールバスやアドレスバス、あるいは、インタフェース類を示していない。
【００３６】
前記オペレーティングシステム５２は、ディスプレイ３に対して必要な情報を表示し、ディスプレイ３に表示された情報に基づき、この処理装置４にインストールされている各種のソフトウエアによるＧＵＩ（Graphical User Interface）処理を実現する。
【００３７】
前記スキャニング制御手段５３は、スキャニングデータを粗く取得するプレスキャン処理と、スキャニングデータを密に取得する本スキャン処理とを実現する。
【００３８】
前記プレジャッジ制御手段５４は、前記ディスプレイ３に対して図３に示すプレジャッジ画面６０を表示した状態において、コマ画像データ１００Ｄの補正を行う補正処理と、コマ画像データ１００Ｄのプリント時のサイズ及びプリント枚数のデータを生成するオーダデータ生成処理とを実現する。
【００３９】
前記プリント領域設定部５５は、コマ画像データ領域１００ＤＡの領域端（外周）を設定する領域端設定手段５５Ａと、この領域端設定手段５５Ａで設定されたコマ画像データ領域１００ＤＡをディスプレイ３（後述する設定ウインドウ７１）に表示する表示処理手段５５Ｂと、コマ画像データ領域１００ＤＡの幅方向での中央を抽出する幅中央抽出手段５５Ｃと、コマ画像データ領域１００ＤＡの長手方向での中央を抽出する長手中央抽出手段５５Ｄと、コマ画像データ領域１００ＤＡの幅方向で一対の境界を設定する主境界位置設定手段５５Ｅと、コマ画像データ領域１００ＤＡの長手方向で一対の境界を設定する副境界位置設定手段５５Ｆとを備えている。
【００４０】
前記プリントデータ生成手段５６は、前記プリント領域設定部５５で設定された領域の内部のコマ画像データ領域１００ＤＡをプリントデータとして生成し、前記プリント実行手段５７は、前記オーダデータとプリントデータとを前記プリントユニットＢに伝送することによりプリント処理を実現する。
【００４１】
１２０サイズや２２０サイズの現像処理済みのフィルムＦ（ブローニーフィルム）では、同機種のカメラで撮影されたものであっても、フィルム幅に対するコマ画像１００の幅方向での位置が一定しないことが多いため、前記フィルムスキャナ２は、前述したようにフィルムＦの幅方向においてコマ画像領域１００Ａを超える領域のスキャニングデータＳＤを取得しており（図４を参照）、本発明では、このように取得したスキャニングデータＳＤに含まれるコマ画像データ１００ＤＡからプリントを行う領域を人為的な操作によって設定してプリントデータを生成できるように処理形態が設定されている。
【００４２】
本発明の写真プリント装置において１２０サイズや２２０サイズのフィルムＦのコマ画像１００を、コマ画像１００のサイズと等しいサイズのペーパーＰにプリントする際の処理順序を以下に説明する。
【００４３】
このプリント処理の概要を図９のフローチャートのように示すことが可能である。つまり、１２０サイズや２２０サイズのフィルムＦに適応したフィルムキャリア１３にフィルムＦを装填し、必要な初期設定を行った状態でプレスキャン処理を行って粗いスキャニングデータを取得する（＃０１ステップ）。この処理の後には、プリント領域設定ルーチン（＃１００ステップ）によってプリント領域を設定し、本スキャン処理でプリントに適した密のスキャニングデータＳＤを取得し（＃０２ステップ）する。次に、この本スキャンで取得したスキャニングデータＳＤから抽出したコマ画像データ１００Ｄにプリント領域をセットし（＃０３ステップ）、プリントデータ（プリント領域内のコマ画像データ）とオーダデータ（プリント制御データの一例）とをプリントユニットＢに伝送することによりプリント処理を実現する（＃０４ステップ）。
【００４４】
前記プリント領域設定ルーチン（＃１００ステップ）は、図１０に示すサブルーチンとして実行される。このルーチンでは、プレジャッジ制御手段５４が、図３に示すプレジャッジ画面６０をディスプレイ３に表示する。このプレジャッジ画面６０では複数の表示ウインドウ６１に対してスキャニングデータＳＤから抽出したコマ画像データ１００Ｄを表示する（前記表示処理手段５５Ｂによる処理）。また、夫々の表示ウインドウ６１の下部位置に複数の補正ボタン６２と、プリント枚数の入力部６３とを表示し、プレジャッジ画面６０の下部にプリントチャンネルとプリントサイズとの表示部６４を形成している。
【００４５】
更に、このプレジャッジ画面６０には、プリント領域設定ボタン６５と、プリント実行ボタン６６とを形成している。尚、前記複数の補正ボタン６２はイエロー（Ｙ）、マゼンタ（Ｍ）、シアン（Ｃ）、濃度に対応し、前記マウス６の操作により何れかのボタン６２を操作することにより対応する補正が実現する。
【００４６】
前記マウス６の操作により前記プリント領域設定ボタン６５にカーソルを重ね、マウス６のスイッチをＯＮする等の操作によって、プリント領域の設定が可能となる。つまり、プリント領域設定ボタン６５を操作した場合には、図５に示す設定画面７０を表示し、この設定画面７０の設定ウインドウ７１（図６を参照）に対して前記スキャニングデータＳＤから抽出したコマ画像データ１００Ｄを表示し、この設定ウインドウ７１において、前記幅中央抽出手段５５Ｃで抽出した幅中央位置ＣＷと、前記長手中央抽出手段５５Ｄで抽出した長手中央位置ＣＬとを表示し、コマ画像データ領域１００ＤＡの幅方向（主走査方向）での領域端に対応する指標７２、７２と、長手方向（副走査方向）での領域端に対応する指標７３、７３とを設定ウインドウ７１の近傍に表示する（＃１０１〜＃１０３ステップ）。
【００４７】
前記コマ画像データ領域１００ＤＡの幅方向（主走査方向）での領域端と、長手方向（副走査方向）での領域端とは、前記領域端設定手段５５Ａが前記スキャニングデータＳＤにおける濃度の分布から設定している。具体的には、前記領域端設定手段５５Ａは、スキャニングデータＳＤのうちフィルムＦの長手方向で所定ピッチ毎にフィルムＦの幅方向での濃度値を取得し、予め設定された濃度差を判定した位置をコマ画像データ領域１００ＤＡにおけるフィルムＦの幅方向での領域端に設定し、スキャニングデータＳＤのうちフィルムＦの幅方向で所定ピッチ毎にフィルムＦの長手方向での濃度値を取得し、予め設定された濃度差を判定した位置をコマ画像データ領域１００ＤＡにおけるフィルムＦの長手方向での領域端に設定している。
【００４８】
このように領域端が設定されることにより、夫々のコマ画像データ領域１００ＤＡにおけるコマ画像データ１００Ｄを特定し、前記プレジャッジ画面６０の複数の表示ウインドウ６１に表示している。また、領域端が設定された場合には、幅中央抽出手段５５Ｃが幅方向で対向する位置となる領域端同士の距離を１／２に分割する位置を幅中央位置ＣＷに設定し、長手中央抽出手段５５Ｄが長手方向で対向する位置となる領域端同士の距離を１／２に分割する位置を長手中央位置ＣＬに設定する。
【００４９】
次に、マウス６の操作により一方の指標７２にカーソルを重ね、ドラッグする等の形態の操作によって、その指標６２の位置が変更された場合には、主境界位置設定手段５５Ｅが他方の指標７２を幅中央位置ＣＷを挟んで対称となる位置（幅中央位置ＣＷから等しい距離となる位置）に移動させる処理を行う。これと同様に、一方の指標７３にカーソルを重ね、ドラッグする等の形態の操作によって、その指標７３の位置が変更された場合には、副境界位置設定手段５５Ｆが他方の指標７３を長手中央位置ＣＬを挟んで対称となる位置（長手中央位置ＣＬから等しい距離となる位置）に移動させる処理を行い、一対の指標７２、７２の間の距離を表示部７４に表示し、また、一対の指標７３、７３の間の距離を表示部７５に表示する（＃１０４ステップ）。
【００５０】
また、主境界位置設定手段５５Ｅ、及び、副境界位置設定手段５５Ｆは夫々の指標７２、７３が操作される毎に対応する一対の主境界ＢＷ、ＢＷ、及び、一対の副境界ＢＬ、ＢＬを設定ウインドウ７１の内部にライン状に表示し、これら一対の主境界ＢＷ、ＢＷ、及び、一対の副境界ＢＬ、ＢＬで取り囲まれる領域となるコマ画像データ１００Ｄをプレビュー画面７６に表示する。このプレビュー画面７６でオペレータが望むデータが得られた場合にはＯＫボタン７７にカーソルを重ねてマウス６のスイッチを操作することにより、一対の主境界ＢＷ、ＢＷ、及び、一対の副境界ＢＬ、ＢＬが確定し、この一対の主境界ＢＷ、ＢＷ、及び、一対の副境界ＢＬ、ＢＬの位置を示すデータ（主境界位置データと副境界位置データ）がハードディスク４２や半導体メモリ（ＲＡＭ）に保存され、設定画面７０が閉じられる（＃１０５〜＃１０７ステップ）。
【００５１】
このように主境界ＢＷの位置と副境界ＢＬの位置とを設定した後には、プレジャッジ画面６０の複数の表示ウインドウ６１に表示されている他のコマ画像データに対して前記主境界ＢＷの位置と副境界ＢＬの位置とを反映する。具体的には、領域端設定手段５５Ａでの処理によって設定された領域端に基づいて幅中央抽出手段５５Ｃと長手中央抽出手段５５Ｄとによって幅中央位置ＣＷと長手中央位置ＣＬとを設定し、この幅中央位置ＣＷと長手中央位置ＣＬとを基準にして前記主境界ＢＷの位置と副境界ＢＬの位置とを設定する処理が行われ、この処理結果が複数の複数のコマ画像データ１００Ｄに反映するのである。
【００５２】
本発明では、プリント領域設定部５５で設定した１つのコマ画像データのプリント領域を他のコマ画像データに反映させる処理形態を採用しているが、このように反映させた後に任意に指定したコマ画像データのプリント領域を変更できるよう処理形態を設定することや、任意に選択したコマ画像データに対してだけプリント領域を設定し、他のコマ画像データについては既に自動的に設定されている領域（コマ画像データ領域１００ＤＡ）をプリント領域に設定する処理形態であっても良い。
【００５３】
この後に、プレジャッジ画面６０のプリント実行ボタン６６を操作することにより、本スキャンが実行され、この本スキャンで取得したスキャニングデータＳＤからコマ画像データ１００Ｄを抽出し、このコマ画像データ１００Ｄのうち主境界ＢＷの位置と副境界ＢＬとで取り囲まれた領域のコマ画像データ１００ＤがオーダデータとともにプリントユニットＢに伝送され、図６に示す如く、主境界ＢＷの位置と副境界ＢＬとで取り囲まれた領域と等しいサイズでペーパーＰにプリントする処理が実行されるのである。
【００５４】
このようにフローチャートに基づいて説明した処理におけるデータの流れを図８のように模式的に示すことが可能である。つまり、＃０１ステップのプレスキャンでは、前記光源部１０からの光線がフィルムキャリア１３で比較的高速で搬送されるフィルムＦに照射され、このフィルムＦからの光線をズームレンズ１１が前記光電変換部１２に導くことになり、光電変換部１２ではフィルムＦの主走査方向に沿う方向の粗いデータをフィルムＦの搬送速度と同期したタイミングで連続的に取り込み、その結果、プレスキャン処理によるスキャニングデータが取得される。
【００５５】
また、前記プレスキャン処理は、スキャニング制御手段５３が実行するものであり、このプレスキャンで取得したスキャニングデータは前記プレジャッジ制御手段５４と、プリント領域設定部５５とに与えられる。
【００５６】
このようにプレスキャン処理で得られたスキャニングデータＳＤは、プリント領域設定部５５での領域端設定処理によってコマ画像データ領域１００ＤＡが自動的に抽出され、このコマ画像データ領域１００ＤＡのデータをコマ画像データ１００Ｄとしてプレジャッジ画面６０の表示ウインドウ６１に表示する処理が行われる（プリント領域設定ルーチンでの処理）。
【００５７】
この表示に基づいてオペレータがプリント領域を任意に設定する場合には、前述したようにプリント領域設定ボタン６５を操作した後、設定画面７０において必要とする操作を行うことにより、プリント領域設定部５５がコマ画像データ１００Ｄから自動的に設定している幅中央位置ＣＷと、長手中央位置ＣＬとを基準とした一対の主境界ＢＷ、ＢＷ、及び、一対の副境界ＢＬ、ＢＬの設定を容易に行え、このように設定した境界を主境界位置データと副境界位置データとして保存すると同時に、プレジャッジ画面６０の表示ウインドウ６１に表示されているコマ画像データ１００Ｄに反映させ、オーダデータともに保存する。
【００５８】
この後には、スキャニング制御手段５３が本スキャンを実行することによって、プリントに適した画素数のスキャニングデータＳＤが取得され、前記プリント領域設定部５５で既に生成している幅中央位置ＣＷのデータと、長手中央位置ＣＬのデータと、主境界ＢＷのデータと、副境界ＢＬのデータとに基づいて、スキャニングデータＳＤからプリントデータ生成手段５６がプリントデータを抽出し、オーダデータとともにプリントユニットＢに伝送されることにより、図１１に示す如く、任意に設定した領域のプリントを実現するのである。
【００５９】
本発明では、複数のコマ画像データ１００Ｄに対する独立した操作によって主境界ＢＷの位置と副境界ＢＬの位置とを設定する処理を実現するものであっても良い。また、本発明は、１３５サイズや２４０サイズのフィルムＦから取得したコマ画像データに適用するよう処理形態を設定しても良い。
【００６０】
このように、本発明によると、フィルムスキャナ２にフィルムＦをセットして取得したスキャニングデータＳＤから自動的な処理によって、コマ画像データ領域１００ＤＡの領域端の位置を取得するものであるが、本発明では、この領域端を画像データ１００の外周の境界位置に設定して単純にプリントを行うものではなく、自動的な処理に基づいて設定した領域端に基づいて幅中央位置ＣＷと長手中央位置ＣＬとを抽出し、これらの中央位置ＣＷ、ＣＬと対称となる位置に境界位置を任意に設定できるよう構成したので、例えば、フィルムＦがネガティブ型であるもののように、コマ画像データ領域１００ＤＡの領域端が不正確な場合に領域端の外部の領域が黒く帯状にペーパーＰにプリントされる不都合を回避するばかりでなく、コマ画像データ１００Ｄの幅中央位置ＣＷと長手中央位置ＣＬとを基準にして一対の主境界ＢＷの位置と、一対の副境界ＢＬの位置とを対称となる位置関係で設定するので、コマ画像データ１００Ｄの本来の中心位置をプリントの中心位置を一致させ、撮影者の意図を損なうことのないプリントを実現するのである。
【００６１】
〔別実施の形態〕
本発明は、上記した実施の形態以外に以下のように構成しても良い。
【００６２】
（イ）画像データ領域の幅方向での領域端を設定し、幅中央だけを抽出し、この幅中央を基準にして対称となる位置関係で一対の主境界位置を設定するよう処理形態を設定し、長手方向での境界位置は任意に設定することや、予め設定されたマスクで処理するよう処理形態を設定しても良い。
【００６３】
（ロ）プレスキャンを行わずに本スキャンのみを行う処理形態の写真プリント装置に適用しても良い。このように適用する場合には、本スキャンによって取得したスキャニングデータＳＤに対して上記したものと同様の処理によって、主境界ＢＷの位置と副境界ＢＬの位置とを設定し、この設定に基づいてプリントデータを直接的に生成することになる。
【００６４】
（ハ）フィルムスキャナ２でのスキャニングによって取得したスキャニングデータＳＤに基づいて、最終的に主境界ＢＷの位置と副境界ＢＬの位置とを設定する処理の全てを処理装置４で行うものに代えて、例えば、コマ画像データ領域の領域端を設定する処理をフィルムスキャナ２の内部において行うものであっても良い。この場合、フィルムスキャナ２と処理装置４とで本発明の画像処理部が構成される。
【００６５】
（ニ）写真フィルムを搬送しない形態で、１コマずつコマ画像データを取得するスキャニング形態となるフィルムスキャナを備えた写真プリント装置に適用する。このようにフィルムスキャナを構成する場合、Ｒ（赤）、Ｇ（緑）、Ｂ（青）の３原色の画像データを同時に取得するものであっても、Ｒ（赤）、Ｇ（緑）、Ｂ（青）の３原色の画像データを異なるタイミングで取得するものであっても良い。
【産業上の利用可能性】
【００６６】
本発明は、写真フィルムのコマ画像をデジタル信号化するフィルムスキャナ全般に適用することが可能である。
【図面の簡単な説明】
【００６７】
【図１】写真プリント装置の斜視図
【図２】プリントユニットの縦断側面図
【図３】プレジャッジ画面を示す図
【図４】写真フィルムのコマ画像領域とコマ画像データ領域との関係を示す図
【図５】設定画面を示す図
【図６】設定ウインドウの拡大図
【図７】処理装置の構成を示すブロック図
【図８】スキャニングからプリントまでのデータの流れを模式的に示すブロック図
【図９】プリント処理のフローチャート
【図１０】プリント領域設定ルーチンのフローチャート
【図１１】画像データをプリントしたペーパーを示す図
【符号の説明】
【００６８】
２            フィルムスキャナ
３            ディスプレイ
４            画像処理部
５５Ｂ        表示処理手段
５５Ｃ        幅中央抽出手段
５５Ｄ        長手中央抽出手段
５５Ｅ        主境界位置設定手段
５５Ｆ        副境界位置設定手段
５６          プリントデータ生成手段
１００        コマ画像
１００Ｄ      コマ画像データ
１００ＤＡ    コマ画像データ領域
Ｂ            プリントユニット
Ｆ            写真フィルム
ＣＷ          幅中央位置
ＳＤ          スキャニングデータ
【図１】
2006148211.tif 000003
【図２】
2006148211.tif 000004
【図３】
2006148211.tif 000005
【図４】
2006148211.tif 000006
【図５】
2006148211.tif 000007
【図６】
2006148211.tif 000008
【図７】
2006148211.tif 000009
【図８】
2006148211.tif 000010
【図９】
2006148211.tif 000011
【図１０】
2006148211.tif 000012
【図１１】
2006148211.tif 000013